(57)【要約】【課題】著しくピール性の改良された、使い勝手の良い、滅菌紙でシールされたオートクレーブ滅菌用ブリスター包装体を提供する。【解決手段】ブリスター包装体Ｂは、トレー１とこのトレー１のシール面１７に貼着された滅菌紙２を含んでなり、この滅菌紙２のシール面２１の少なくともピール対象面２１１を含む部分が、この滅菌紙２の外周縁２２から０．５ｍｍ以上内側に設けられている。【選択図】　　　図１
2004035024.tif 000002
【特許請求の範囲】
【請求項１】
ブリスタートレーと該ブリスタートレーのシール面に貼着されてブリスタートレーをシールする滅菌紙を含んでなり、該滅菌紙のシール面の少なくともピール対象面を含む部分が、該滅菌紙の外周縁から０．５ｍｍ以上内側に設けられてなるピール性の改良されたオートクレーブ滅菌用ブリスター包装体。
【請求項２】
ブリスタートレーのシール面の長手方向の一端に軸対称に一対の開封突起が設けられ、該一対の開封突起に隣接する滅菌紙の三辺のシール面が滅菌紙の外周縁から０．５ｍｍ以上内側に設けられてなる請求項１に記載の包装体。
【請求項３】
プランジャ付きのプレフィルドシリンジを収容する包装体である請求項１または２に記載の包装体。
【発明の詳細な説明】
【０００１】
【発明の属する技術分野】
本発明は、滅菌紙でシールされたオートクレーブ滅菌用ブリスター包装体のピール性の改良に関し、特にガスケットにプランジャを装着したプレフィルドシリンジの包装体として好適である。
【０００２】
【従来の技術】
オートクレーブ滅菌用ブリスター包装体は、通常、ポリプロピレンや、ポリエチレン、ポリスチレンなどの透明なプラスチックからなるブリスタートレー（以下、単にトレーという）と、このトレーをシールするシール部材から構成されており、トレーにシール部材をシールするシール幅は、通常、２〜５ｍｍ程度必要とされていた。そして、トレーを出来るだけコンパクトにするため、従来、トレーのシール面はトレーの外周縁を含むシール幅になっていた。このようなトレーのシール面がトレーの外周縁を含むシール幅になっているブリスター包装体では、シール部材がプラスチックフィルムの場合は、フィルムが破れ難いため問題はないが、シール部材が滅菌紙の場合は剥す途中で破れてしまい、使い勝手が悪く問題であった。
一方、トレーに収容、包装して滅菌する必要のあるプレフィルドシリンジ等の製品の場合、トレーをシールするシール部材は、滅菌紙であることが絶対に必要な条件であり、そのため、ピール性の改良が待たれていた。
【０００３】
そこで、剥す際の滅菌紙の破れを回避するために、シール強度を弱くして剥し易くする方法や、接着剤等を用いたピール層を設ける方法が検討されたが、前者は、シール面にピンホールの生じる危険性があるという欠点を有しており、また、後者は、１２１℃のオートクレーブ滅菌に耐えることの出来る接着剤が少なく、また、あったとしても高価であり問題だった。
【０００４】
【発明が解決しようとする課題】
本発明は、如上の事情に鑑みてなされたもので、著しくピール性の改良された、使い勝手の良い、滅菌紙でシールされたオートクレーブ滅菌用ブリスター包装体を提供することを目的とする。
【０００５】
【課題を解決するための手段】
本発明者等は上記課題を解決するために、鋭意検討の結果、トレーに貼着される滅菌紙のシール面を、滅菌紙の外周縁から所定距離内側にずらすことにより、ピール性が著しく改良されることを見出し、本発明を完成した。すなわち本発明は、ブリスタートレーとこのブリスタートレーのシール面に貼着されてブリスタートレーをシールする滅菌紙を含んでなり、この滅菌紙のシール面の少なくともピール対象面を含む部分が、この滅菌紙の外周縁から０．５ｍｍ以上内側に設けられてなる、ピール性の改良されたオートクレーブ滅菌用ブリスター包装体に関する。本発明の好ましい実施態様としては、ブリスタートレーのシール面の長手方向の一端に軸対称に一対の開封突起が設けられ、この一対の開封突起に隣接する滅菌紙の三辺のシール面が、滅菌紙の外周縁から０．５ｍｍ以上内側に設けられてなる包装体、が挙げられる。ここで、本発明の包装体はプランジャ付きのプレフィルドシリンジを収容する包装体として好適である。
【０００６】
【発明の実施の形態】
次に、本発明の実施例について、図面を用いて説明する。
図１は本発明の一実施例に係るオートクレーブ滅菌用ブリスター包装体の平面図であり、プレフィルドシリンジ用トレーに滅菌紙を貼着した状態を示す。また、図２は図１の側面図であり、図３は図１において滅菌紙を貼着する前のトレーを示す平面図、図４は図１に示す包装体の使用状態の説明図である。
図１、図２に示すように、本発明のブリスター包装体Ｂは、トレー１とこのトレー１のシール面１７に貼着された滅菌紙２を含んでなり、この滅菌紙２のシール面２１の少なくともピール対象面２１１を含む部分が、この滅菌紙２の外周縁２２から０．５ｍｍ以上内側に設けられている。
【０００７】
トレー１は、通常、皿状の容器であり、製品を収容する部分の外側にシール面１７が設けられている。プレフィルドシリンジ用トレーの場合、プレフィルドシリンジＳを収容する部分は、例えば図２〜図４に示すように、先端がバレル３のチップ３１付近を収容するチップ収容部１１になっており、以下、バレル３の胴部の先端側（チップ３１を除く）を収容する胴部先端側収容部１２、バレル３の胴部の基端側（フランジ３２を除く）を収容する胴部基端側収容部１３、胴部基端側収容部１３の基端側に設けられた小径部分１３１、バレル３のフランジ３２を収容するフランジ収容部１４、プランジャ４（フランジ４１を除く）を収容するプランジャ収容部１５となっており、基端がプランジャ４のフランジ４１を収容するプランジャのフランジ収容部１６になっている。胴部基端側収容部１３は胴部先端側収容部１２より径が大きくなっており、トレー１からプレフィルドシリンジＳを取り出すときに指を入れることの出来る大きさになっている。また、フランジ収容部１４は、トレー１内でのバレル３の移動を防止するための部分であり、そのため、これに隣接する収容部１３１、１５はそれぞれフランジより径が小さくなっている。
【０００８】
トレー１のシール面１７には滅菌紙２が貼着されており、そのプランジャのフランジ収容部１６側の一端には、収容部１６を挟んで軸対称に一対の開封突起１８が設けられている。この開封突起１８は一個でも構わないが、開封者の利き腕を考慮して左右一対設けるのが好ましい。滅菌紙２の開封突起１８に対応する部分は開封口２３になっており、滅菌紙２はこの開封口２３を指で掴んで剥すことが出来る。
滅菌紙２のトレー１への貼着は、滅菌紙２のシール面２１の少なくともピール対象面２１１を含む部分が、この滅菌紙２の外周縁２２から０．５ｍｍ以上内側になるように行われる。尚、ピール対象面２１１は、ブリスター包装体ＢからプレフィルドシリンジＳを取り出す際に、剥される滅菌紙２のシール面２１部分を言い、滅菌紙２の基端の開封口２３に隣接する部分から始まる。ピール対象面２１１の先端は、胴部基端側収容部１３より先端側の位置であれば任意の位置を選択できるが、要は滅菌紙２を剥いだときに指を入れてプレフィルドシリンジＳを取り出せる位置であれば、胴部基端側収容部１３に対応する位置でも良い。
【０００９】
〔試験例〕　表１に示すようなシール面を有するブリスター包装体をそれぞれ５０個ずつ用意し、ピール性試験を行ったところ、表２に示すような結果が得られた。表２から、本発明のブリスター包装体のピール性が著しく改良されていることが分かる。
【００１０】
【表１】
2004035024.tif 000003
【００１１】
【表２】
2004035024.tif 000004
【００１２】
【発明の効果】
以上述べたことから明らかなように、本発明を採用することにより、ピール性の著しく改良された、使い勝手の良い、滅菌紙でシールされたオートクレーブ滅菌用ブリスター包装体を提供することができる。
【図面の簡単な説明】
【図１】本発明の一実施例に係るブリスター包装体の平面図であり、プレフィルドシリンジ用トレーに滅菌紙を貼着した状態を示す。
【図２】図１の側面図である。
【図３】図１において滅菌紙を貼着する前のトレーを示す平面図である。
【図４】図１に示す包装体の使用状態の説明図である。
【図５】比較例における滅菌紙のシール面の基端縁および側縁の状態を示す図である。
【符号の説明】
１　トレー
１１　チップ収容部
１２　胴部先端側収容部
１３　胴部基端側収容部
１３１　小径部分
１４　フランジ収容部
１５　プランジャ収容部
１６　プランジャのフランジ収容部
１７　シール面
１８　開封突起
２　滅菌紙
２１　シール面
２１１　ピール対象面
２２　外周縁
２３　開封口
Ｂ　ブリスター包装体
Ｓ　プレフィルドシリンジ
【図１】
2004035024.tif 000005
【図２】
2004035024.tif 000006
【図３】
2004035024.tif 000007
【図４】
2004035024.tif 000008
【図５】
2004035024.tif 000009